(57)【要約】【課題】強度的に優れていながら、小型、コンパクトで、小回りがきく等、例えば、病院内や家庭の室内での使用性に優れた歩行器を提供することを目的とする。【解決手段】中央に歩行者が立って歩行可能な空間を有する一方、歩行者が手で体を支える上部フレーム２であって、後面が開放され、略水平面に沿って延びる丸形の上部フレーム２と、後面が開放され、略水平面に沿って延びる丸形の下部フレーム３と、上部フレーム２後側両端部と下部フレーム３後側両端部同士を連結する後部の左右の連結フレーム４，５と、からなる本体フレーム６を備えると共に、本体フレーム６を床面上に走行自由に支持する回転可能な車輪を有するキャスター７〜１１を備えるようにした。【選択図】  図１
2004222879.tif 000002
【特許請求の範囲】
【請求項１】
中央に歩行者が立って歩行可能な空間を有する一方、歩行者が手で体を支える上部フレームであって、後面が開放され、略水平面に沿って延びるパイプからなる丸形の上部フレームと、後面が開放され、略水平面に沿って延びるパイプからなる丸形の下部フレームと、前記上部フレーム後側両端部と下部フレーム後側両端部同士を連結するパイプからなる後部の左右の連結フレームと、からなる本体フレームを備えると共に、前記本体フレームを床面上に走行自由に支持する回転可能な車輪を有するキャスターを備えたことを特徴とする歩行器。
【請求項２】
前記上部フレームと下部フレームは、両側部分を延長して略Ｕ字形状の丸形に形成されたことを特徴とする請求項１記載の歩行器。
【請求項３】
前記下部フレームは上部フレームよりも大きく形成されたことを特徴とする請求項１または２記載の歩行器。
【請求項４】
前記下部フレームの後側両端部は後方に延長され、該延長部に衝撃緩和部材を装着したことを特徴とする請求項１〜３のうちいずれか１つに記載の歩行器。
【請求項５】
前記下部フレームの延長部に前記キャスターのうちの１つが設けられたことを特徴とする請求項４記載の歩行器。
【請求項６】
前記キャスターのうちの１つは、下部フレームの先端中央部に設けられ、本体フレームの走行方向を主に決定することを特徴とする請求項１〜５のうちいずれか１つに記載の歩行器。
【請求項７】
前記上部フレームに、歩行者の肘当て部材を高さ調節可能に装着したことを特徴とする請求項１〜３のうちいずれか１つに記載の歩行器。
【請求項８】
前記キャスターには、車輪の回転を止めたり、これを解除するロック手段を備えてなることを特徴とする請求項１〜７のうちいずれか１つに記載の歩行器。
【請求項９】
上部フレームの少なくとも一方の側部の後端とこれに繋がる連結フレームそれぞれの内部にスライド可能に配された棒状の把手部材を設け、該把手部材の上端部を前記上部フレームから突出して支持グリップ部とし、下端部を下部フレームから突出して床面に当接可能なストッパ部とし、把手部材を常時は床面から離間する上方向に弾性付勢する弾性部材が連結フレームに内蔵したことを特徴とする請求項１〜８のうちいずれか１つに記載の歩行器。
【請求項１０】
前記把手部材を上部フレームの両側部の後部にそれぞれ設けた場合、一方の把手部材の支持グリップ部を上方向に延ばし、他方の把手の支持グリップ部を歩行者の肘で操作可能に倒して前方向に延ばしたことを特徴とする請求項１〜９のうちいずれか１つに記載の歩行器。
【発明の詳細な説明】
【０００１】
【発明の属する技術分野】
本発明は、歩行機能に障害のある人が歩行の際の補助としたり、リハビリテーションとしての歩行訓練などにおいて、歩行を補助するために使用される歩行器に関し、特に、病院内や家庭の室内において、強度、安全性、使用性などの全てに優れた歩行器に関する。
【０００２】
【従来の技術】
従来より、歩行機能に障害のある身体障害者や寝たきりで長期間にわたり歩行をしなかった病人などのように、歩行機能に障害のある人が歩行する際に、その歩行の補助を行うための歩行器が使用されている（特開平８−１０７９１７号公報，特開２０００−８４０１５号公報，特開２０００−２３３００２号公報，特開２００１−３５３１９３号公報および特開２００２−１２６０２３号公報など参照）。
【０００３】
この歩行器は、例えば、鉄パイプなどを所定の形状に折り曲げると共に、繋ぎ合わせて、フレームを形成し、このフレームの下部の前後両側に合計４つのキャスターを取り付け、フレームを床面などに沿って走行可能としたものである。
【０００４】
なお、前記のフレームの中央部には、歩行器の利用者である歩行者が入り込むことができる空間が形成され、その上部に歩行者が歩行するに際して、身体を支えるためにつかまることができる手すりが形成されている。
【発明が解決しようとする課題】
しかし、従来の歩行器は、病院などの中は勿論のこと、外での使用にも耐えうるように、安定性を確保し、強度的に高くするような構造になっているのが、一般的である。
【０００５】
このため、フレームは、鉄パイプなどを所定の形状に折り曲げたり、鉄パイプ同士をボルトなどを使用して繋ぎ合せるなど、多数の鉄パイプが使われ、多数のボルト止め部分などが存在し、大型化すると共に、部材同士の接続部が多くて故障の原因となり、更に、重量も嵩む欠点がある。
【０００６】
また、病院などでは、多くの背丈の人が使用するため、フレームに高さ調整機能、例えば、パイプ同士をスライド可能に連結して、所定スライド位置でネジなどで固定する機能が設けられているものが多く、やはり大型化すると共に、使用するための能力が必要となりその装備が生かされず、また、重量も嵩んでしまう。
このため、従来の歩行器は動かし難く、小回りがきかない欠点があった。
【０００７】
さらに、従来の歩行器は大型であるため、これを使用したまま、トイレの小便器に近寄り難く、用を足すのに容易ではない。
また、従来の歩行器の多くは、強度を高めるため、フレームの前部に補強桟があり、これが邪魔をして、やはり用を足すのに容易ではない。
さらに、トイレの大便器のある室にも、入口が狭いため、入り難く、簡単に用を足せないのが実情である。
要するに、従来の歩行器は、大型で、コンパクト性に欠け、使用性に劣るものであるため、病院内や家庭の部屋の中で使用するには、使い難いものであった。
【０００８】
本発明は、上記のような課題を解決するためなされたものであり、強度的に優れていながら、小型、コンパクトで、小回りがきく等、例えば病院内や家庭の部屋での使用性に優れた歩行器を提供することを目的とする。
【０００９】
【課題を解決するための手段】
このため、請求項１に係る発明の歩行器は、中央に歩行者が立って歩行可能な空間を有する一方、歩行者が手で体を支える上部フレームであって、後面が開放され、略水平面に沿って延びるパイプからなる丸形の上部フレームと、後面が開放され、略水平面に沿って延びるパイプからなる丸形の下部フレームと、前記上部フレーム後側両端部と下部フレーム後側両端部同士を連結するパイプからなる後部の左右の連結フレームと、からなる本体フレームを備えると共に、前記本体フレームを床面上に走行自由に支持する回転可能な車輪を有するキャスターを備えたことを特徴とする。
【００１０】
請求項２に係る発明は、前記上部フレームと下部フレームは、両側部分を延長して略Ｕ字形状の丸形に形成されたことを特徴とする。
【００１１】
請求項３に係る発明は、前記下部フレームは上部フレームよりも大きく形成されたことを特徴とする。
【００１２】
請求項４に係る発明は、前記下部フレームの後側両端部は後方に延長され、該延長部に衝撃緩和部材を装着したことを特徴とする。
【００１３】
請求項５に係る発明は、前記下部フレームの延長部に前記キャスターのうちの１つが設けられたことを特徴とする。
【００１４】
請求項６に係る発明は、前記キャスターのうちの１つは、下部フレームの先端中央部に設けられ、本体フレームの走行方向を主に決定することを特徴とする。
【００１５】
請求項７に係る発明は、前記上部フレームに、歩行者の肘当て部材を高さ調節可能に装着したことを特徴とする。
【００１６】
請求項８に係る発明は、前記キャスターには、車輪の回転を止めたり、これを解除するロック手段を備えてなることを特徴とする。
【００１７】
請求項９に係る発明は、上部フレームの少なくとも一方の側部の後端とこれに繋がる連結フレームそれぞれの内部にスライド可能に配された棒状の把手部材を設け、該把手部材の上端部を前記上部フレームから突出して支持グリップ部とし、下端部を下部フレームから突出して床面に当接可能なストッパ部とし、把手部材を常時は床面から離間する上方向に弾性付勢する弾性部材が連結フレームに内蔵したことを特徴とする。
【００１８】
請求項１０に係る発明は、前記把手部材を上部フレームの両側部の後部にそれぞれ設けた場合、一方の把手部材の支持グリップ部を上方向に延ばし、他方の把手の支持グリップ部を歩行者の肘で操作可能に倒して前方向に延ばしたことを特徴とする。
（作用）
【００１９】
次に、かかる発明の作用について説明する。
請求項１に係る発明の歩行器において、本体フレームの空間に入って、その中央に立つ。さらに、使用者が上部フレームを手で持って、体を支える。使用者が歩行すると、キャスターの車輪が回転して、歩行器が床面上を走行する。
この場合、使用者が行きたい方向に歩行しつつ、歩行器の向きを変えると、キャスターが回転して、歩行器が使用者の歩行方向に向いて走行する。
勿論、使用者が止まれば、歩行器の走行が停止される。
【００２０】
このようにして、歩行機能に障害のある身体障害者や長期間にわたり歩行をしなかった病人などのように、歩行機能に障害のある人が歩行する際に、その歩行の補助を行うことができる。
【００２１】
従って、本体フレームの使用パイプ数が少なく、小型化であると共に、軽量であり、しかも、強度が高く、安定性にも優れた上に、動かし易く、小回りがきくため、使用性に優れ、ひいては歩行の補助性が高い。
また、これを使用したまま、トイレの小便器に近寄り易く、用を足すのにも容易であると共に、本体フレーム前部が開放されているため、簡単に用を足すことができる。
更に、本体フレーム後部が開放されているため、トイレの大便器にあたることなく、便器に座ったりするのも容易であるため、簡単に用を足すことができる。
【００２２】
請求項２および３に係る発明の歩行器において、本体フレームの強度が高く、体重をフレームにかけても安定性に優れ、転倒したりしない。
【００２３】
請求項４に係る発明の歩行器において、歩行器がどこかに衝突しても、衝撃が緩和される。
【００２４】
請求項５に係る発明の歩行器において、キャスター間の距離が延びるため、歩行器の安定性が増す。
【００２５】
請求項６に係る発明の歩行器において、下部フレームの先端中央部のキャスターが歩行器の走行方向を主に決定し、歩行器が的確に操縦されると共に、急発進の危険が防止される。
【００２６】
請求項７に係る発明の歩行器において、歩行器の使用時に使用者が肘を乗せれば、快適性が増す。
【００２７】
請求項８に係る発明の歩行器において、歩行器が動かないようにロックされる。
【００２８】
請求項９に係る発明の歩行器において、使用者が体を支え、かつ、歩行器の移動を抑えた状態で、歩行器の中に入ったりできる。即ち、自らの身体が自由にコントロール不可能な人、あるいは深夜にあって、周囲に対する気兼ねから、排便など我慢を重ね急ぐ人、または少々寝ぼけた人が慌てて本器を使用する際、ロックを掛け忘れても、支持グリップ部をつかんで下方向に体重をかけることにより、ストッパーが作動し、急発進して転倒することがない。
更に、棒状の把手部材が、上部フレームの側部の後端とこれに繋がる連結フレームの内部にスライド可能に配され、下端部を下部フレームから突出する構造であるため、フレーム溶接部分が破損した場合でも、棒状の把手部材が補強となり、転倒事故を防止することができる。
【００２９】
請求項１０に係る発明の歩行器によれば、手が不自由な使用者でも、肘で把手部材を簡単に操作できる。
【００３０】
【発明の実施の形態】
以下、添付された図面を参照して本発明の実施の形態を詳述する。
本発明の歩行器として本実施形態は、次のように構成されている。
図１〜図５において、歩行器１は、中央に歩行者が立って歩行可能な空間を有する一方、丸形の上部フレーム２と、丸形の下部フレーム３と、上部フレーム２と下部フレーム３同士を連結する左右２本の連結フレーム４，５と、からなる本体フレーム６を備えると共に、本体フレーム６を床面上に走行自由に支持する回転可能な車輪を有するキャスター７〜１１を備えている。
【００３１】
前記上部フレーム２は、上部に位置して歩行者が手で体を支えるもので、後面が開放されている。また、前記下部フレーム３は、下部に位置するもので、後面が開放されている。
【００３２】
本実施形態において、これらの上部フレーム２と下部フレーム３は、それぞれ丸パイプから形成されており、両側部分を延長して略Ｕ字形状に形成されている。また、下部フレーム３は上部フレーム２よりも大きく形成されており、下部フレーム３及び上部フレーム２の円弧の中心は、図３において同一（Ｐ点）である。
【００３３】
前記２本の連結フレーム４、５は、丸パイプから形成されており、上部フレーム２後側両端部と下部フレーム３後側両端部同士を連結するもので、若干、上側が前方と内方に倒れるように傾斜した縦方向の直線状に形成され、左右にそれぞれ配設されている。（これが本器の特色であり、安定を保つためのものである。）
【００３４】
この場合、上部フレーム２と下部フレーム３と連結フレーム４，５とは、別々に形成されており、上部フレーム２の後側両端部に、それぞれ連結フレーム４，５の上端部が溶接により固着され、下部フレーム３の後側両端部に、それぞれ連結フレーム４，５の下端部が溶接により固着されている。
【００３５】
下部フレーム３の後側両端部は後方に延長されており、この延長部３Ａ，３Ｂに衝撃緩和部材としてのラバー製のキャップ１２が被せられている（図６参照）。
前記キャスター７〜１１は、下部フレーム３の先端中央部の下側と、左右の直線部の下側の２個所と、延長部３Ａ，３Ｂの下側の離間する２個所と、にそれぞれボルト締めなどによって固定取付されている。（なお、ボルトナットについては、出っ張り防止のため全てパイプ内に収納されている。）
かかるキャスター７〜１１のうち下部フレーム３の先端中央部のキャスター７は、本体フレーム６の走行方向を主に決定するものである。
【００３６】
また、下部フレーム３の左右の直線部のキャスター８，９には、キャスター８，９の車輪の回転を止めたり、これを解除するロック手段１３が備えられている。
例えば、前記ロック手段１３としては、図７に示すように、キャスター８，９のブラケット８Ａ，９Ａに操作可能かつ揺動自由に支持されたレバー１３Ａのブレーキパッド１３ａをキャスター８，９の車輪に押し当てて、該車輪の回転を止め、逆に車輪から離して、これを解除する構成のものを適用すれば良い。
【００３７】
また、図８に示すように、上部フレーム２の少なくとも一方の側部、本実施形態では、右側の側部の後端とこれに繋がる連結フレーム４それぞれの内部にスライド可能に配された棒状の把手部材１４が設けられている。この把手部材１４の上端部は上部フレーム２から突出して支持グリップ部１５として構成され、下端部は下部フレーム２から突出して床面に当接可能なストッパ部１６として構成されている。このストッパ部１６の先端には、床面への当接の際の滑り防止と衝撃緩和するべく、ラバー製のキャップ１７が被せられている。
【００３８】
さらに、連結フレーム４には、把手部材１４を常時は床面から離間する上方向に弾性付勢する弾性部材、例えば、コイルスプリング１８が係止部１９に係止されて内蔵されている。
【００３９】
なお、図９に示すように、把手部材１４，２０を上部フレーム２の右側以外にも左側にも設けた場合、一方の把手部材１４の支持グリップ部１５を上方向に延ばし、他方の把手部材２０の支持グリップ部２１を歩行者の肘で操作可能に倒して前方向に延ばし、走行時のブレーキとすると良い。
【００４０】
かかる歩行器１においては、キャスター８，９のロック手段１３を作動して、車輪の回転を止めた上で、使用者が右側にある把手部材１４の支持グリップ部１５を手で握って体を支えつつ、これをコイルスプリング１８の弾性力に抗して押して、その下端部のストッパ部１６を床面に当接させてロックし、本体フレーム８の移動を抑えた状態で、本体フレーム６の空間に入って、その中央に立つ。
使用者が把手部材１４の支持グリップ部１５から手を離すと、該把手部材１４がコイルスプリング１８の弾性力によって上動し、下端部のストッパ部１６が床面から離れて、元の位置に戻る。そして、使用者が上部フレーム２を手で持って、体を支える。使用者が歩行すると、キャスター７〜１１の車輪が回転して、歩行器１が床面上を走行する。
【００４１】
この場合、使用者が行きたい方向に歩行しつつ、歩行器１の向きを変えると、下部フレーム３の先端中央部のキャスター７が走行方向を主に決定して、歩行器１が使用者の歩行方向に向いて走行する。
勿論、使用者が止まれば、歩行器１の走行が停止される。
このようにして、歩行機能に障害のある身体障害者や長期間にわたり歩行をしなかった病人などのように、歩行機能に障害のある人が歩行する際に、その歩行の補助を行うことができる。
【００４２】
かかる歩行器１によると、本体フレーム６は、それぞれ丸パイプからなる上部フレーム２と下部フレーム３と２本の連結フレーム４，５とからなり、従来の歩行器と比較して、使用パイプ数が少なく、ボルトなどを使用して繋ぎ合せていないため、小型化であると共に、重量も大幅に低減することができる。
【００４３】
しかも、本実施形態においては、上部フレーム２後側両端部と下部フレーム３後側両端部同士を連結フレーム４，５で連結した構成であると共に、上部フレーム２と下部フレーム３の両側部分を延長して略Ｕ字形状に形成し、かつ、下部フレーム３は上部フレーム２よりも大きく形成し、さらに、２本の連結フレーム４，５は上側が前方と内方に倒れるように傾斜して形成されているため、本体フレーム６の強度が高く、上部フレーム２に体重をかけると下部フレーム３に全加重が均等にかかり安定性に優れ、歩行器１が転倒したりすることがない。
【００４４】
特に、キャスター１０，１１を、下部フレーム３の延長部３Ａ，３Ｂの下側に設けたから、キャスター８，１０間とキャスター９，１１間の距離が延びて、歩行器１の安定性がより増し、走行もスムーズに行える。
【００４５】
また、本構成の歩行器１は小型であるため、これを使用したまま、トイレの小便器に近寄り易く、用を足すのにも容易である。さらに、本構成の歩行器１は、本体フレーム６前部に桟部などの邪魔するものがなく、開放されているため、簡単に用を足すことができ、トイレの大便器のある室にも入り易く、便器に座ったりするのも容易であるため、簡単に用を足すことができる。
【００４６】
なお、便器に座ったり、便器から立ち上がるときには、把手部材１４の支持グリップ部１５を手で握って体を支えれば良く、杖としての役目をする。
【００４７】
さらに、下部フレーム３の左右の直線部のキャスター８，９にはロック手段１３を設けたから、歩行器１を使用するときには、車輪の回転を止めることができ、歩行器１の安全性を確保できる。
【００４８】
また、上部フレーム２の右側の側部の後端とこれに繋がる連結フレーム４それぞれの内部にスライド可能に配された棒状の把手部材１４を設け、この把手部材１４の上端部を上部フレーム２から突出させて、支持グリップ部１５とし、下端部は下部フレーム３から突出して床面に当接可能なストッパ部１６として構成したから、使用者が歩行器１の移動を抑止した状態で、歩行器１の中央に入ったり、トイレの便器などに座ったり、便器などから立ち上がったりすることができ、安全性を確保した上で、歩行器１を使用できる。
【００４９】
さらに、キャスター７を下部フレーム３の先端中央部に設けたから、該キャスター３が歩行器１の走行方向を主に決定でき、歩行器１を的確に操縦することができる。
【００５０】
結局、本構成の歩行器１は、強度が高く、安定性にも優れた上に、小型でコンパクトであり、操縦性に優れ、小回りがきくため、使用性に優れ、ひいては歩行の補助性が高く、特に、病院内や家庭の部屋の中で使用するのに、使い易いという利点がある。
【００５１】
なお、本体フレーム６の高さを変えたものを何種類か予め用意しておけば、多くの背丈の人が使用することができ、特に、本体フレーム６に高さ調整機能を設けなくとも良いため、本体フレーム６の小型化と重量低減化に効果的である。
【００５２】
上記実施形態の歩行器は、下部フレーム３の後側両端部の延長部３Ａ，３Ｂにラバー製のキャップ１２を被せるようにしたから、歩行器１がどこかに衝突しても、衝撃を緩和することができる。
さらに、把手部材１４，２０を上部フレーム２の左右の両側部の後部にそれぞれ設けた場合、一方の把手部材２０の支持グリップ部２１を歩行者の肘で操作可能に倒して前方向に延ばしたから、手が不自由に使用者でも、肘で把手部材２０を簡単に操作できる。
【００５３】
なお、図示しないが、把手部材の支持グリップ部を略方形の枠状に形成し、これを連結フレーム４または５の側部位置に配設しても良い。
【００５４】
次に、本構成の歩行器１のオプションとしては、次のようなものがある。
すなわち、図１０および図１１に示すように、上部フレーム２の先端中央部と下部フレーム３の先端中央部とを、着脱可能な補強フレーム２２で連結しても良い。補強フレーム２２は、両端に係合部材２２Ａを有しており、この係合部材２２Ａを上部フレーム２と下部フレーム３とに設けた係合孔に嵌め込むようにする。
【００５５】
上部フレーム２と下部フレーム３同士を連結フレーム４，５で連結しただけで本体フレーム６の強度は充分であるが、このように補強フレーム２２を設けることにより、本体フレーム６の強度がさらに高められるのは勿論のこと、上部フレーム２と下部フレーム３を連結するものが、本体フレーム６の前側にも存在することにより、使用者の安心感が増し、安心して歩行器１を使用できる。
また、図示しないが、上部フレーム２に点滴用の薬を吊り下げる棒を設けるように構成しても良い。
【００５６】
また、同図に示すように、連結フレーム４，５に椅子２３を取り付けても良く、歩行器１の使用に疲れたら椅子２３に腰掛けて休むことができ、便利である。
図示しないが、補強フレーム２２にかごを取り付けても良い。
【００５７】
さらに、図１２に示すように、上部フレーム２の左右の直線部に、弾性体などからなる肘掛け２４を、着脱可能かつボルト２５のねじ込み具合により高さ調節可能に設ければ、歩行器１に使用者が肘を乗せることができ、快適に使用できる。
【００５８】
なお、上記の実施形態においては、上部フレーム２と下部フレーム３を、その両側部分を延長して略Ｕ字形状に形成したが、図１３に示すように、単なる略円形に形成しても良い。
【００５９】
【発明の効果】以上説明したように、請求項１に係る発明の歩行器によれば、本体フレームの使用パイプ数が少なく、小型化であると共に、強度が高く、安定性にも優れた上に、動かし易く、小回りがきくため、使用性に優れ、ひいては歩行の補助性が高い。また、これを使用したまま、トイレの小便器に近寄り易く、用を足すのにも容易であると共に、本体フレーム前部が開放されているため、簡単に用を足すことができ、トイレの大便器のある室にも入り易く、本体フレーム後部が開放されて便器に座ったりするのも容易であるため、簡単に用を足すことができる利点があり、特に、病院内や家庭の部屋の中など屋内で使用するのに使い易いという利点がある。更に、全体がシンプルな構造で、壊れにくく扱いやすいと共に、低価格におさえることが出来る効果がある。
【００６０】
請求項２および３に係る発明の歩行器によれば、本体フレームの強度が高く、体重をかけても安定性に優れ、転倒したりすることがない利点がある。
【００６１】
請求項４に係る発明の歩行器によれば、歩行器がどこかに衝突しても、衝撃を緩和することができ、安全性が高い利点がある。
【００６２】
請求項５に係る発明の歩行器によれば、キャスター間の距離が延びるため、歩行器の安定性が増す利点がある。
【００６３】
請求項６に係る発明の歩行器によれば、下部フレームの先端中央部のキャスターが歩行器の走行方向を主に決定でき、歩行器を的確に操縦することができる利点がある。
【００６４】
請求項７に係る発明の歩行器によれば、歩行器の使用時に使用者が肘を乗せることができ、快適に使用できる利点がある。
【００６５】
請求項８に係る発明の歩行器によれば、歩行器が動かないようにロックでき、歩行器を走行させないときの安全性を向上できる利点がある。
【００６６】
請求項９に係る発明の歩行器によれば、使用者が体を支え、かつ、歩行器の移動を抑えた状態で、歩行器の中に入れるなどの利点がある。更に、棒状の把手部材が、上部フレームの側部の後端とこれに繋がる連結フレームの内部にスライド可能に配され、下端部を下部フレームから突出する構造であるため、フレーム溶接部分が破損した場合でも、棒状の把手部材が補強となり、転倒事故を防止することができる。
【００６７】
請求項１０に係る発明の歩行器によれば、手が不自由な使用者でも、肘で把手部材を簡単に操作できる利点がある。
【図面の簡単な説明】
【図１】本発明に係る歩行器の一実施形態を示す斜視図
【図２】同上の歩行器の左側の側面図
【図３】同上の歩行器の上面図
【図４】同上の歩行器の正面図
【図５】同上の歩行器の背面図
【図６】同上の歩行器における延長部のキャップの断面図
【図７】同上の歩行器におけるロック手段の構成を示す図
【図８】同上の歩行器における１４  把手部材、支持グリップ部、ストッパ部、キャップおよびコイルスプリングの構成を示す図
【図９】本発明に係る歩行器の他の実施形態を示す正面図
【図１０】本発明に係る歩行器のさらに他の実施形態を示す右側の側面図
【図１１】その正面図
【図１２】本発明に係る歩行器のさらに他の実施形態を示す右側の側面図
【図１３】本発明に係る歩行器のさらに他の実施形態を示す上面図
【符号の説明】
１  歩行器
２  上部フレーム
３  下部フレーム
３Ａ，３Ｂ  延長部
４，５  連結フレー
６  本体フレーム
７〜１１キャスター
１２  キャップ
１３  ロック手段
１４  把手部材
１５  支持グリップ部
１６  ストッパ部
１７  キャップ
１８  コイルスプリング
２０  把手部材
２１  支持グリップ部
２２  補強フレーム
２３  椅子
２４  肘掛け
【図１】
2004222879.tif 000003
【図２】
2004222879.tif 000004
【図３】
2004222879.tif 000005
【図４】
2004222879.tif 000006
【図５】
2004222879.tif 000007
【図６】
2004222879.tif 000008
【図７】
2004222879.tif 000009
【図８】
2004222879.tif 000010
【図９】
2004222879.tif 000011
【図１０】
2004222879.tif 000012
【図１１】
2004222879.tif 000013
【図１２】
2004222879.tif 000014
【図１３】
2004222879.tif 000015